(57)【要約】【課題】限られた貯留ピット敷地面積で、焼却炉へ燃焼に適した性状の廃棄物を供給する廃棄物供給装置及び方法を提供する。【解決手段】貯留ピット１０内の廃棄物の水分率分布を測定する水分率分布測定装置２０と、貯留ピット内に形成された攪拌区画Ａでの廃棄物の水分率を調整する水分率調整装置３０と、攪拌区画から廃棄物を焼却炉IIへ搬送供給するクレーン装置４０とを備え、水分率分布測定装置２０は、貯留ピット内の全領域を撮影する貯留ピット撮影装置２１と、その画像情報から明度分布を求め、貯留ピット内の水分率分布を導出する貯留ピット画像処理装置２２とを有し、水分率調整装置３０は、攪拌区画の廃棄物の水分率を所定範囲とするように、低そして高水分率廃棄物との混合比率を算出する混合比率算出装置３１と、混合比率にもとづき各領域から廃棄物を攪拌区画へ移送する移送手順をクレーン装置に発信する移送計画装置３２とを有している。【選択図】図１
2018169141.tif 000002
【特許請求の範囲】
【請求項１】
廃棄物を受け入れて一時貯留する貯留ピットから廃棄物を取り出し焼却炉へ搬送供給する廃棄物供給装置において、 
貯留ピット内の廃棄物の水分率分布を測定する水分率分布測定装置と、貯留ピット内の一部に形成された攪拌区画における廃棄物の水分率を調整する水分率調整装置と、貯留ピットの攪拌区画から廃棄物を焼却炉へ搬送供給するクレーン装置とを備え、
水分率分布測定装置は、貯留ピット内の全領域の廃棄物を撮影し画像情報を取得する貯留ピット撮影装置と、該貯留ピット撮影装置により得られた画像情報から廃棄物の明度分布を求め、予め設定された廃棄物の明度と廃棄物の水分率との関係にもとづき、貯留ピット内を区分した複数領域の各領域に存在する廃棄物の水分率を示す貯留ピット内の廃棄物の水分率分布を導出する貯留ピット画像処理装置とを有し、
水分率調整装置は、水分率分布測定装置により導出された貯留ピット内の廃棄物の水分率分布を参照して、所定範囲の水分率より低い低水分率廃棄物の存在する領域から低水分率廃棄物を、所定範囲の水分率より高い高水分率廃棄物の存在する領域から高水分率廃棄物を取り出して攪拌区画に移送して混合するときに、上記攪拌区画における低水分率廃棄物と高水分率廃棄物とが混合された廃棄物の水分率を所定範囲とするように、低水分率廃棄物と高水分率廃棄物との混合比率を算出する混合比率算出装置と、混合比率算出装置で算出された混合比率にもとづき各領域から廃棄物をクレーン装置により攪拌区画へ移送する移送手順を計画しクレーン装置に運転指令を発信する移送計画装置とを有し、
クレーン装置は、移送計画装置からの運転指令にもとづき、貯留ピットの各領域から廃棄物を攪拌区画へ移送し、攪拌混合し、さらに所定範囲の水分率とされた廃棄物を焼却炉へ搬送供給する、ことを特徴とする廃棄物供給装置。
【請求項２】
廃棄物供給装置は、さらにバケット水分率測定装置を有し、
バケット水分率測定装置は、クレーン装置のバケットが掴む廃棄物を撮影し画像情報を取得するバケット撮影装置と、該バケット撮影装置により得られた画像情報からバケットが掴む廃棄物の明度を求め、予め設定された廃棄物の明度と廃棄物の水分率との関係にもとづき、バケットが掴む廃棄物の水分率を導出するバケット画像処理装置とを有し、
混合比率算出装置は、水分率分布測定装置により導出された貯留ピット内の廃棄物の水分率分布と、バケット水分率測定装置により導出されたバケットが掴む廃棄物の水分率とにもとづき、低水分率廃棄物と高水分率廃棄物との混合比率を算出することとする請求項１に記載の廃棄物供給装置。
【請求項３】
貯留ピット内を区分した複数領域の各領域と攪拌区画の少なくとも一方にて、クレーン装置のバケットが掴んだ廃棄物の落下状況を撮影し画像情報を取得する落下状況撮影装置と、該落下状況撮影装置により得られた画像情報から廃棄物の形状を導出する廃棄物形状測定装置と、攪拌区画に貯留される廃棄物の形状を所定範囲とするように上記クレーン装置のバケットによる廃棄物の掴み操作と落下操作を繰り返すように該クレーン装置を制御する廃棄物形状制御装置を、さらに有していることとする請求項１又は請求項２に記載の廃棄物供給装置。
【請求項４】
廃棄物を受け入れて一時貯留する貯留ピットから廃棄物をクレーン装置で取り出し焼却炉へ搬送供給する廃棄物供給方法において、 
貯留ピット内の廃棄物の水分率分布を測定する水分率分布測定工程と、貯留ピット内の一部に形成された攪拌区画における廃棄物の水分率を調整する水分率調整工程と、貯留ピットの攪拌区画から廃棄物を焼却炉へクレーン装置により搬送供給する搬送供給工程とを備え、
水分率分布測定工程は、貯留ピット内の全領域の廃棄物を撮影して画像情報を取得し、画像情報から廃棄物の明度分布を求め、予め設定された廃棄物の明度と廃棄物の水分率との関係にもとづき、貯留ピット内を区分した複数領域の各領域に存在する廃棄物の水分率を示す貯留ピット内の廃棄物の水分率分布を導出する貯留ピット画像処理を行い、
水分率調整工程は、水分率分布測定工程により導出された貯留ピット内の廃棄物の水分率分布を参照して、所定範囲の水分率より低い低水分率廃棄物の存在する領域から低水分率廃棄物を、所定範囲の水分率より高い高水分率廃棄物の存在する領域から高水分率廃棄物を取り出して攪拌区画に移送して混合するときに、上記攪拌区画における低水分率廃棄物と高水分率廃棄物とが混合された廃棄物の水分率を所定範囲とするように、低水分率廃棄物と高水分率廃棄物との混合比率を算出する混合比率算出工程と、算出された混合比率にもとづき各領域から廃棄物をクレーン装置により攪拌区画へ移送する移送手順を計画しクレーン装置に運転指令を発信する移送計画工程と、
クレーン装置が、移送計画工程からの運転指令にもとづき、貯留ピットの各領域から廃棄物を攪拌区画へ移送し、攪拌混合し、さらに所定範囲の水分率とされた廃棄物を焼却炉へ搬送供給する移送・搬送工程とを有する、
ことを特徴とする廃棄物供給方法。
【請求項５】
さらにバケット水分率測定工程を有し、
バケット水分率測定工程は、クレーン装置のバケットが掴む廃棄物を撮影し画像情報を取得するバケット撮影工程と、該バケット撮影工程により得られた画像情報からバケットが掴む廃棄物の明度を求め、予め設定された廃棄物の明度と廃棄物の水分率との関係にもとづき、バケットが掴む廃棄物の水分率を導出するバケット画像処理工程とを有し、
混合比率算出工程は、水分率分布測定工程により導出された貯留ピット内の廃棄物の水分率分布と、バケット水分率測定工程により導出されたバケットが掴む廃棄物の水分率とにもとづき、低水分率廃棄物と高水分率廃棄物との混合比率を算出することとする請求項５に記載の廃棄物供給方法。
【請求項６】
貯留ピット内を区分した複数領域の各領域と攪拌区画の少なくとも一方にて、クレーン装置のバケットが掴んだ廃棄物の落下状況を撮影し画像情報を取得し、得られた画像情報から廃棄物の形状を導出する廃棄物形状測定工程と、攪拌区画に貯留される廃棄物の形状を所定範囲とするようにクレーン装置のバケットによる廃棄物の掴み操作と落下操作を繰り返すように該クレーン装置を制御する廃棄物形状調整工程を、さらに有していることとする請求項４又は請求項５に記載の廃棄物供給方法。
【発明の詳細な説明】
【技術分野】
【０００１】
本発明は、廃棄物を貯留ピットから焼却炉へ供給する廃棄物供給装置及び廃棄物供給方法に関する。
【背景技術】
【０００２】
従来、廃棄物焼却施設においては、廃棄物焼却炉（以下、「焼却炉」）へ廃棄物を投入する前に廃棄物の性状を把握することは行わずに、焼却炉に廃棄物が投入された後に炉内での燃焼中の操業データ（炉内温度、排ガス中酸素濃度等）により、焼却炉での熱バランスを求め、廃棄物の発熱量を演算し、焼却炉に供給する燃焼空気量を調整するフィードバック制御を行うことが一般的である。したがって、焼却炉へ供給される廃棄物の性状が時々刻々変化する実際の操業では制御に遅れが生じ、ときには焼却炉で発生した可燃性ガスが完全に燃焼されず、燃焼排ガス中に未燃ガスが残存することがあった。
【０００３】
焼却炉を安定に運転し、さらに、廃棄物の燃焼における熱回収により蒸気を発生させ発電を行う際に高い発電効率を得るためには、投入する廃棄物の性状を所定範囲内にすることが必要である。
【０００４】
焼却炉への供給に備え、搬入された廃棄物が一時貯留される貯留ピットでは、クレーンのバケットにより廃棄物の混合と焼却炉への投入が行われるが、現在のところ貯留ピット内の一部の領域の廃棄物を混合するだけであって、十分な混合が得られず、また次々と性状の異なる廃棄物が貯留ピットへ搬入され生じる変動に対応できなかった。
【０００５】
このため、廃棄物焼却炉の運転が不安定となり、炉内温度の変動、発生ガス量の変動が生じ、その結果、排ガスから熱回収して発生させるボイラ蒸気量の変動が生じ、さらにＮＯｘ，ＳＯｘ，ＨＣｌ，ＣＯなどの有害ガス成分排出量の増加が生じていた。
【０００６】
通常の廃棄物焼却施設の貯留ピットは最小限の敷地面積で設けられるため、廃棄物の混合調整に利用できる領域の大きさは限定される。クレーンおよび焼却炉の廃棄物投入ホッパ容量は１時間に数回の投入を前提に設計されているため、廃棄物の移動や混合のできる時間は限定されている。性状の異なる廃棄物が貯留ピットへ搬入され生じる変動に対応するための対策として、特許文献１に、貯留ピット内で性状の異なる廃棄物に分け貯留する方法が提案されている。
【先行技術文献】
【特許文献】
【０００７】
【特許文献１】特開２０１５−２１００４３
【発明の概要】
【発明が解決しようとする課題】
【０００８】
しかしながら、特許文献１では、貯留ピット内に、廃棄物の混合のための領域に加え、混合前に該廃棄物を異なる性状毎に区分するための複数の他の領域を用意することとしているので、貯留ピット全体として広い面積が必要となり、実施は困難で、実状にそぐわない。
【０００９】
本発明はかかる事情に鑑み、限定された現状の貯留ピット敷地面積で、焼却炉へ燃焼に適した性状の廃棄物を供給することができるようにする廃棄物供給装置及び廃棄物供給方法を提供することを課題とする。
【課題を解決するための手段】
【００１０】
本発明では、上述の課題は、次のように構成される廃棄物供給装置もしくは廃棄物供給方法によって解決される。
【００１１】
［廃棄物供給装置］
本発明の廃棄物供給装置は、次の第一ないし第三発明のごとく構成される。
【００１２】
＜第一発明＞
第一発明に係る廃棄物供給装置は、廃棄物を受け入れて一時貯留する貯留ピットから廃棄物を取り出し焼却炉へ搬送供給する。
【００１３】
かかる廃棄物供給装置において、第一発明では、貯留ピット内の廃棄物の水分率分布を測定する水分率分布測定装置と、貯留ピット内の一部に形成された攪拌区画における廃棄物の水分率を調整する水分率調整装置と、貯留ピットの攪拌区画から廃棄物を焼却炉へ搬送供給するクレーン装置とを備え、
水分率分布測定装置は、貯留ピット内の全領域の廃棄物を撮影し画像情報を取得する貯留ピット撮影装置と、該貯留ピット撮影装置により得られた画像情報から廃棄物の明度分布を求め、予め設定された廃棄物の明度と廃棄物の水分率との関係にもとづき、貯留ピット内を区分した複数領域の各領域に存在する廃棄物の水分率を示す貯留ピット内の廃棄物の水分率分布を導出する貯留ピット画像処理装置とを有し、
水分率調整装置は、水分率分布測定装置により導出された貯留ピット内の廃棄物の水分率分布を参照して、所定範囲の水分率より低い低水分率廃棄物の存在する領域から低水分率廃棄物を、所定範囲の水分率より高い高水分率廃棄物の存在する領域から高水分率廃棄物を取り出して攪拌区画に移送して混合するときに、上記攪拌区画における低水分率廃棄物と高水分率廃棄物とが混合された廃棄物の水分率を所定範囲とするように、低水分率廃棄物と高水分率廃棄物との混合比率を算出する混合比率算出装置と、混合比率算出装置で算出された混合比率にもとづき各領域から廃棄物をクレーン装置により攪拌区画へ移送する移送手順を計画しクレーン装置に運転指令を発信する移送計画装置とを有し、
クレーン装置は、移送計画装置からの運転指令にもとづき、貯留ピットの各領域から廃棄物を攪拌区画へ移送し、攪拌混合し、さらに所定範囲の水分率とされた廃棄物を焼却炉へ搬送供給する、
ことを特徴としている。
【００１４】
＜第二発明＞
第二発明に係る廃棄物供給装置は、第一発明の廃棄物供給装置に加えて、さらにバケット水分率測定装置を有し、
バケット水分率測定装置は、クレーン装置のバケットが掴む廃棄物を撮影し画像情報を取得するバケット撮影装置と、該バケット撮影装置により得られた画像情報からバケットが掴む廃棄物の明度を求め、予め設定された廃棄物の明度と廃棄物の水分率との関係にもとづき、バケットが掴む廃棄物の水分率を導出するバケット画像処理装置とを有し、
混合比率算出装置は、水分率分布測定装置により導出された貯留ピット内の廃棄物の水分率分布と、バケット水分率測定装置により導出されたバケットが掴む廃棄物の水分率とにもとづき、低水分率廃棄物と高水分率廃棄物との混合比率を算出するように構成される。
【００１５】
＜第三発明＞
第三発明に係る廃棄物供給装置は、第一又は第二発明の廃棄物供給装置に加えて、貯留ピット内を区分した複数領域の各領域と攪拌区画の少なくとも一方にて、クレーン装置のバケットが掴んだ廃棄物の落下状況を撮影し画像情報を取得する落下状況撮影装置と、該落下状況撮影装置により得られた画像情報から廃棄物の形状を導出する廃棄物形状測定装置と、攪拌区画に貯留される廃棄物の形状を所定のものとするように上記クレーン装置のバケットによる廃棄物の掴み操作と落下操作を繰り返すように該クレーン装置を制御する廃棄物形状制御装置を、さらに有していることにより構成される。
【００１６】
［廃棄物供給方法］
本発明の廃棄物供給方法は、次の第四ないし第六発明のごとく構成される。
【００１７】
＜第四発明＞
第四発明に係る廃棄物供給方法では、廃棄物を受け入れて一時貯留する貯留ピットから廃棄物をクレーン装置で取り出し焼却炉へ搬送供給する。
【００１８】
かかる廃棄物供給方法において、第四発明では、貯留ピット内の廃棄物の水分率分布を測定する水分率分布測定工程と、貯留ピット内の一部に形成された攪拌区画における廃棄物の水分率を調整する水分率調整工程と、貯留ピットの攪拌区画から廃棄物を焼却炉へクレーン装置により搬送供給する搬送供給工程とを備え、
水分率分布測定工程は、貯留ピット内の全領域の廃棄物を撮影して画像情報を取得し、画像情報から廃棄物の明度分布を求め、予め設定された廃棄物の明度と廃棄物の水分率との関係にもとづき、貯留ピット内を区分した複数領域の各領域に存在する廃棄物の水分率を示す貯留ピット内の廃棄物の水分率分布を導出する貯留ピット画像処理を行い、
水分率調整工程は、水分率分布測定工程により導出された貯留ピット内の廃棄物の水分率分布を参照して、所定範囲の水分率より低い低水分率廃棄物の存在する領域から低水分率廃棄物を、所定範囲の水分率より高い高水分率廃棄物の存在する領域から高水分率廃棄物を取り出して攪拌区画に移送して混合するときに、上記攪拌区画における低水分率廃棄物と高水分率廃棄物とが混合された廃棄物の水分率を所定範囲とするように、低水分率廃棄物と高水分率廃棄物との混合比率を算出する混合比率算出工程と、算出された混合比率にもとづき各領域から廃棄物をクレーン装置により攪拌区画へ移送する移送手順を計画しクレーン装置に運転指令を発信する移送計画工程と、
クレーン装置が、移送計画工程からの運転指令にもとづき、貯留ピットの各領域から廃棄物を攪拌区画へ移送し、攪拌混合し、さらに所定範囲の水分率とされた廃棄物を焼却炉へ搬送供給する移送・搬送工程とを有する、
ことを特徴としている。
【００１９】
＜第五発明＞
第五発明に係る廃棄物供給方法は、第四発明の工程に加え、さらにバケット水分率測定工程を有し、
バケット水分率測定工程は、クレーン装置のバケットが掴む廃棄物を撮影し画像情報を取得するバケット撮影工程と、該バケット撮影工程により得られた画像情報からバケットが掴む廃棄物の明度を求め、予め設定された廃棄物の明度と廃棄物の水分率との関係にもとづき、バケットが掴む廃棄物の水分率を導出するバケット画像処理工程とを有し、
混合比率算出工程は、水分率分布測定工程により導出された貯留ピット内の廃棄物の水分率分布と、バケット水分率測定工程により導出されたバケットが掴む廃棄物の水分率とにもとづき、低水分率廃棄物と高水分率廃棄物との混合比率を算出することにより構成される。
【００２０】
＜第六発明＞
第六発明に係る廃棄物供給方法は、第四又は第五発明のいずれかの工程に加え、貯留ピット内を区分した複数領域の各領域と攪拌区画の少なくとも一方にて、クレーン装置のバケットが掴んだ廃棄物の落下状況を撮影し画像情報を取得し、得られた画像情報から廃棄物の形状を導出する廃棄物形状測定工程と、攪拌区画に貯留される廃棄物の形状を所定のものとするようにクレーン装置のバケットによる廃棄物の掴み操作と落下操作を繰り返すように該クレーン装置を制御する廃棄物形状調整工程を、さらに有していることにより構成される。
【００２１】
＜発明の原理＞
このような構成の本発明の廃棄物供給装置そして廃棄物供給方法では、貯留ピットの廃棄物は、次の手順で混合・攪拌されて所定範囲の水分率のもとで焼却炉へ供給される。
【００２２】
本発明では、貯留ピットの一部に、廃棄物を攪拌混合するための攪拌区画が設けられている。該攪拌区画以外は貯留ピットの大部分を占めていて貯留区画をなしており、廃棄物収集車により搬入された廃棄物は、この貯留区画に投入そして貯留される。
【００２３】
本発明では、水分率分布測定装置により貯留ピット内の廃棄物の水分率分布が測定される。水分率分布測定装置は撮影装置と画像処理装置とを有している。撮影装置は貯留ピット内の全領域の廃棄物を撮影していてその画像情報を画像処理装置へ送信する。画像処理装置は、廃棄物についての画像の明度と水分率との関係をデータとして有していて、撮影装置から受けた画像情報からこの関係を参照して、貯留ピット内を区分した複数領域の各領域について廃棄物の水分率を得て貯留ピット内の廃棄物の水分率分布を導出する。
【００２４】
次に、上記水分率分布にもとづき、低水分率廃棄物の存在する領域から低水分率廃棄物を、そして高水分率廃棄物の存在する領域から高水分率廃棄物を攪拌区画へ移送し、これらをこの攪拌区画で攪拌混合する。上記攪拌区画における低水分率廃棄物と高水分率廃棄物とが混合された廃棄物の水分率を所定範囲とするように、混合比率算出装置により、低水分率廃棄物と高水分率廃棄物との混合比率が算出されて上記攪拌区画へ移送され、移送された低水分率廃棄物と高水分率廃棄物とが攪拌区画で攪拌混合され、所定範囲の水分率の廃棄物を生成する。
【００２５】
かくして、所定範囲の水分率となった攪拌区画の廃棄物はクレーン装置のバケットにより掴まれて焼却炉へ搬送供給される。また、水分率調整装置において、攪拌区画における低水分率廃棄物と高水分率廃棄物とが混合された廃棄物の水分率を所定範囲とするように調整する代わりに、所定範囲の水分率に対応する所定範囲の明度を導出しておき、混合された廃棄物の明度を所定範囲とするように制御することとしてもよい。
【００２６】
本発明において、廃棄物供給装置はさらにバケット水分率測定装置を有しているとき、バケット水分率測定装置のバケット撮影装置は、クレーン装置のバケットが掴む廃棄物を撮影し画像情報を取得し、バケット画像処理装置は得られた画像情報から廃棄物の明度を求め、予め記憶された廃棄物の明度と廃棄物の水分率との関係にもとづき、バケットが掴む廃棄物の水分率を導出して、混合比率算出装置が、水分率分布測定装置により導出された貯留ピット内の廃棄物の水分率分布にもとづき、低水分率廃棄物と高水分率廃棄物との混合比率を算出する際に、バケット水分率測定装置により導出されたバケットが掴む廃棄物の水分率とにももとづき、攪拌区画における低水分率廃棄物と高水分率廃棄物とが混合された廃棄物の水分率を所定範囲とするように、低水分率廃棄物と高水分率廃棄物との混合比率を算出する。
【００２７】
バケット水分率測定装置により、バケットが掴む廃棄物の水分率を測定することができるため、低水分率廃棄物の存在する領域から低水分率廃棄物を、そして高水分率廃棄物の存在する領域から高水分率廃棄物を攪拌区画へ移送するときに、低水分率廃棄物及び高水分率廃棄物のより正確な水分率を把握することができ、攪拌区画において混合される廃棄物の水分率をより確実に所定範囲とすることができる。また、攪拌区画において混合された廃棄物をバケットで掴みバケット水分率測定装置により混合された廃棄物の水分率を測定して、水分率調整装置において設定した所定範囲の水分率と比較し、所定範囲内に至っていない場合には低水分率廃棄物と高水分率廃棄物との混合比率を修正するように混合比率算出装置を操作するようにしてもよい。
【００２８】
貯留ピットに投入されるときに廃棄物は、袋体に廃棄物が収容されている袋体の状態、袋体が破袋され収容されていた廃棄物が分散している状態、廃棄物が大きな塊状となっている状態、粗大物などの形状となっている。袋体や大きな塊状や粗大物のままであるとクレーン装置での移送、攪拌区画での攪拌混合に支障が生じたり、焼却炉内への投入が困難になったり、燃焼が不安定となり不具合が生じる。そのため、袋体を破袋し収容されていた廃棄物を分散し、大きな塊状の廃棄物や粗大物を細かく破砕することが必要である。
【００２９】
本発明において、落下状況撮影装置、廃棄物形状測定装置及び廃棄物形状制御装置をも、さらに備えている場合には、落下状況撮影装置によりクレーン装置のバケットが掴んだ廃棄物の落下状況を撮影し画像情報を取得して、廃棄物形状測定装置が画像情報から廃棄物の形状を導出し、廃棄物形状制御装置が攪拌区画に貯留される廃棄物の形状を所定のものとするようにクレーン装置のバケットによる廃棄物の掴み操作と落下操作を繰り返すようにクレーン装置を制御する。廃棄物の落下状況の画像情報と、廃棄物の形状について関係を記憶させておいて、この関係を参照し廃棄物の形状を導出することが好ましい。貯留ピットに貯留されている廃棄物は、廃棄物が収容されている袋体の状態、袋体が破袋され収容されていた廃棄物が分散している状態、廃棄物が大きな塊状となっている状態、粗大物などの形状となっている。バケットによる廃棄物の掴み操作と落下操作を繰り返すことにより、袋体を破袋し収容されていた廃棄物を分散し、大きな塊状の廃棄物や粗大物を細かく破砕して、廃棄物の形状を所定のものとする。廃棄物の形状の所定のものとして、袋体であるか、塊状であるか、粗大物であるか、適切に分散させること、好ましい大きさなどの観点から指標を設けて定めることが好ましい。また、廃棄物の適切な大きさは炉規模により異なり、小さい炉ほど小さい方が適切となる。廃棄物が大きいと炉内への投入が不均一になるため、燃焼が不安定になるからである。
【発明の効果】
【００３０】
本発明では、以上のように、廃棄物の貯留ピット内での廃棄物の画像を撮影し明度分布を計測して、廃棄物ピット内の廃棄物の水分率分布を求め、低水分率廃棄物と高水分率廃棄物を取り出して貯留ピット内の攪拌区画へ移送して攪拌混合を行い、水分率が所定範囲の廃棄物を形成し、焼却炉に廃棄物を供給することとしたので、水分率が所定範囲である廃棄物を確実に得られ、焼却炉での廃棄物の燃焼が安定し、燃焼により熱回収して得る蒸気発生量も安定する。
【００３１】
さらには、貯留ピットへ搬入される廃棄物の水分率が変動しても、焼却炉へ投入される際には、廃棄物は所定範囲の水分率とされるので、燃焼制御、例えば一次空気供給量の制御が簡単になる。
【図面の簡単な説明】
【００３２】
【図１】本発明の一実施形態装置の概要構成を示し、該装置の縦断面図である。
【図２】図１装置における貯留ピットの平面図である。
【発明を実施するための形態】
【００３３】
以下、添付図面の図１にもとづき、本発明の一実施形態について説明する。
【００３４】
本実施形態装置は、大別すると、廃棄物供給装置Ｉと焼却炉IIとから成り、廃棄物供給装置Ｉは、廃棄物を受け入れて一時貯留する貯留ピット１０から廃棄物を取り出し焼却炉IIへ搬送供給する装置である。廃棄物供給装置Ｉは、貯留ピット１０内の廃棄物の水分率分布を測定する水分率分布測定装置２０と、焼却炉IIへ供給する廃棄物の水分率を制御する水分率調整装置３０と、そして貯留ピット１０から廃棄物を取り出して焼却炉IIへ搬送供給するクレーン装置４０とを有している。
【００３５】
廃棄物Ｐは、廃棄物収集車（図示せず）によりもち込まれ上記貯留ピット１０へ投入されるが、廃棄物が袋体に入っている状態や塊状の状態や粗大物の状態で投入され貯留される。貯留ピット１０内の廃棄物Ｐは、焼却炉IIへ搬送供給される前に、所定範囲の水分率となるように処理されるが、そのための本実施形態における諸装置の説明に先立ち、焼却炉IIについて説明する。
【００３６】
焼却炉IIは、廃棄物Ｐの供給を受けるホッパ５１を上端に有し該ホッパ５１から廃棄物Ｐを炉内に落下投入するシュート５２が設けられている。該焼却炉IIは、例えば、火格子式焼却炉として形成することができる。火格子式焼却炉の場合、炉内底部に設けられている火格子（図示せず）の下方から燃焼用一次空気を供給するように、供給空気量調整装置（図示せず）を経て炉内の燃焼室５３に燃焼用一次空気を供給する風箱（図示せず）が炉底に設けられている。上記火格子は該火格子上の廃棄物を図にて右方向に送るように作動している。
【００３７】
上記焼却炉IIは、燃焼室５３の後流側上部が、燃焼室５３での廃棄物燃焼で発生した可燃ガスを燃焼する二次燃焼室５４となっていて、その上方に排気部５５が設けられている。二次燃焼室５４と排気部５５の排気口５５Ａとの間の位置には、二次燃焼で得られる熱を回収するボイラ（図示せず）が配設されている。上記排気口５５Ａは、後流側に設けられた集塵機や排ガス処理装置（図示せず）に接続されていて、焼却炉IIから排出される排ガスは無害化された後に、大気に放出されるようになっている。
【００３８】
上記貯留ピット１０は、廃棄物収集車により搬入された廃棄物を一時貯留するのに十分な容積そして床面積を有している。
【００３９】
上記貯留ピット１０の上方には、クレーン装置４０が配設されている。本実施形態では、該クレーン装置４０は、貯留ピット１０内の廃棄物Ｐを該貯留ピット１０から焼却炉IIのホッパ５１の上方位置まで搬送し該ホッパ５１へ投入供給する搬送供給機能と、廃棄物Ｐを貯留ピット１０内で移送せしめる移送攪拌機能とを有している。上記クレーン装置４０は、水平方向に延びる走行軌道４１と、該走行軌道４１に沿って走行自在な巻上機（図示せず）と、該巻上機に巻回され下方に向け延びその長さが加減されるワイヤ４２と、該ワイヤ４２の下端に吊下支持され昇降自在かつ開閉自在なバケット４３とを有している。したがって、バケット４３は、上下方向では、ワイヤ４２の吊下長さの加減により昇降自在であり、水平方向では、貯留ピット１０と焼却炉IIのホッパ５１の間、さらには、貯留ピット１０内での移動が可能である。貯留ピット１０内での水平方向移動は、図１では、紙面に沿った左右方向のみならず、紙面に直角な方向でも移動可能である。したがって、昇降自在なバケット４３は、水平方向では、貯留ピット１０の水平面のどの部分に対してもその上方に位置することができる。
【００４０】
廃棄物供給装置Ｉは、上記バケット４３を吊下する巻上機を移動させる走行軌道４１をもつクレーン装置４０に加え、上記バケット４３の移動、昇降、開閉等の動作を制御して貯留ピット１０で該バケット４３により掴まれ焼却炉IIへ供給される該廃棄物Ｐの水分率を制御するための水分率分布測定装置２０と水分率調整装置３０とを有している。
【００４１】
水分率分布測定装置２０は、貯留ピット撮影装置２１と貯留ピット画像処理装置２２とを有している。該貯留ピット撮影装置２１は、貯留ピット１０の側壁に設けられたカメラ１１を有していて、該カメラ１１で貯留ピット１０内全領域の廃棄物Ｐを撮影して画像を形成し、その画像を画像情報として上記貯留ピット画像処理装置２２へ送信するようになっている。カメラ１１は２台以上設置して貯留ピット全体の廃棄物を撮影し、死角のない３次元情報、距離による誤差のない寸法情報を得ることが、貯留ピット全体の廃棄物の水分率分布を把握するのに望ましい。貯留ピット１０内の廃棄物の貯留状況によっては、カメラ１１を1台設けることとしてもよい。
【００４２】
廃棄物は、その水分率が低いと画像における明度が高く、水分率が高いと明度が低い。そこで、本実施形態では、貯留ピット撮影装置２１により得られた貯留ピット１０内の廃棄物の画像情報から貯留ピット画像処理装置２２により貯留ピット１０内の廃棄物の明度分布を求め、さらに予め設定され記憶された廃棄物の明度と廃棄物の水分率との関係にもとづき、貯留ピット１０内の廃棄物の水分率分布を導出する。
【００４３】
貯留ピット画像処理装置２２では、上記貯留ピット撮影装置２１からの画像情報を処理するのに際し、上方から見た貯留ピット１０内の水平面の全領域を、図２に見られるように区分している。この区分は、貯留ピット１０の一つの隅部における一部に一つの攪拌区画Ａをなし、そして残部を細かく区分して複数の細領域Ｂ１，Ｂ２，・・・を有する貯留区画Ｂをなすように二分している。上記貯留区画Ｂは、廃棄物収集車から搬入される廃棄物を貯留する区画であり、図２の例では水平面内の縦方向と横方向に細区分されて、細領域Ｂ１，Ｂ２，・・・を有し、例えば、０．５×０．５ｍ程度に細区分することができる。攪拌区画Ａは、貯留区画Ｂに貯留されている廃棄物のうち水分率の異なる廃棄物を移送し攪拌混合するための区画であり、該貯留領域Ｂの細区分された各細領域よりも広い面積を有しており、その縦横の長さは、小さくともバケット４３を開いたときの長さの１．５〜２．５倍程度でよい。
【００４４】
貯留ピット画像処理装置２２では、導出した貯留ピット１０内の廃棄物の水分率分布データを、貯留区画Ｂの細区分された細領域群に対応させることにより、各細領域Ｂ１，Ｂ２，・・・に貯留される廃棄物の水分率を把握することができる。例えば、細領域Ｂ１，Ｂ２，Ｂ３、Ｂ４には所定範囲の水分率より低い低水分率の廃棄物が存在し、細領域Ｂ１１，Ｂ１２，Ｂ１３、Ｂ１４には所定範囲の水分率より高い高水分率の廃棄物が存在していることを把握することができる。このように貯留ピット１０の貯留区画Ｂの細区分された各細領域ごとに貯留される廃棄物の水分率を水分率分布情報として把握することができ、このような水分率分布情報が水分率分布測定装置２０の貯留ピット画像処理装置２２に保存される。
【００４５】
上記貯留ピット撮影装置２１と貯留ピット画像処理装置２２とを有する水分率分布測定装置２０は、水分率調整装置３０に接続されている。該水分率調整装置３０は、混合比率算出装置３１と移送計画装置３２とを有しており、詳しくは、水分率分布測定装置２０の貯留ピット画像処理装置２２が水分率調整装置３０の混合比率算出装置３１と接続されている。
【００４６】
水分率調整装置３０の混合比率算出装置３１は、水分率分布を把握する際に用いた細領域の隣接する複数分を集めて、一つの取出領域とし、この取出領域を用いて貯留ピット１０内の水分率分布を把握し、所定範囲の水分率より低い低水分率廃棄物の存在する取出領域や所定範囲の水分率より高い高水分率廃棄物の存在する取出領域として把握して、取出領域の単位で水分率調整を行うようこととしている。取出領域の大きさはクレーンのバケットが開く長さ（２〜５ｍ）より大きく設定する。    
【００４７】
水分率調整装置３０の混合比率算出装置３１は、貯留区画Ｂにおける所定範囲の水分率より低い低水分率廃棄物の存在する取出領域から低水分率廃棄物を、所定範囲の水分率より高い高水分率廃棄物の存在する取出領域から高水分率廃棄物をそれぞれ取り出して攪拌区画Ａに移送するときに、上記攪拌区画Ａにおける攪拌混合後の廃棄物の水分率を所定範囲とするように、貯留区画Ｂから取り出す低水分率廃棄物と高水分率廃棄物との混合比率を算出するようになっている。
【００４８】
この算出された混合比率の結果をもとに、移送計画装置３２は、クレーン装置４０によりどの取出領域から低水分率廃棄物と高水分率廃棄物とをどのような比率で攪拌区画Ａへ移送するのかという移送手順を計画しクレーン装置４０に運転指令を発信する。
【００４９】
クレーン装置４０は、移送計画装置３２からの運転指令にもとづき、貯留区画Ｂの複数の取出領域のいずれかと攪拌区画Ａとの間を移動し、各取出領域から廃棄物を攪拌区画Ａへ移送し、かつ移送後に攪拌区画Ａで該廃棄物を攪拌混合する機能を有している。
【００５０】
クレーン装置４０は、貯留ピット１０内を移動し、貯留区画Ｂの指定された取出領域と攪拌区画Ａとの間で移動し、バケット４３の昇降動作と開閉動作により廃棄物Ｐを掴んで上記取出領域から攪拌区画Ａへ移送する。複数の取出領域のどこから廃棄物をどれくらい移動するかは、上述した混合比率となるように定められる。バケットが一度に掴む廃棄物量はほぼ一定であるので、クレーンが移動する回数を制御することにより、廃棄物を移動する量を制御するようにする。クレーン装置４０は、攪拌区画Ａでは、バケット４３の昇降動作と開閉動作を繰り返すことで、すなわち攪拌区画Ａに移送された廃棄物を掴み上げ落下させる動作を繰り返すことで廃棄物を攪拌混合してその均一化を図る。
【００５１】
このような本実施形態では、貯留ピット１０内の廃棄物Ｐは、次の要領で所定範囲の水分率のもとで焼却炉IIへ搬送供給される。
【００５２】
水分率分布測定装置２０は、貯留ピット１０内の貯留区画Ｂの全領域について、撮影された廃棄物Ｐの画像情報による明度分布から、貯留ピット画像処理装置２２に予め記憶され設定されている廃棄物の明度と水分率との関係にもとづいて、廃棄物Ｐの水分率分布を導いており、貯留ピット１０の貯留区画Ｂの細区分された各細領域ごとに貯留される廃棄物の水分率を把握している。水分率調整装置３０の混合比率算出装置３１は、各細領域ごとの水分率分布から取出領域ごとの水分率分布を導き、上記攪拌区画Ａにおける廃棄物Ｐの水分率が、所定範囲となるように、貯留区画Ｂにおける異なる水分率の取出領域のどこからどれだけ廃棄物Ｐを掴んで上記攪拌区画Ａへ移送すればよいか、その混合比率を算出し、移送計画装置３２が混合比率算出装置３１で算出された混合比率にもとづき各取出領域から廃棄物をクレーン装置４０により攪拌区画へ移送する移送手順を計画しクレーン装置４０に運転指令を発信する。クレーン装置４０はこの指令を受けて、各取出領域から低水分率廃棄物、高水分率廃棄物を上記混合比率のもとでバケット４３により掴み、攪拌区画Ａへ移送し、ここで攪拌混合し、水分率が所定範囲である廃棄物を生成する。その際、高水分率廃棄物が足りない場合、ピットの下層にある廃棄物は高水分率となっている傾向にあるので、表層の廃棄物を除去してこれを用いてもよい。
【００５３】
攪拌区画において攪拌混合された廃棄物の水分率を貯留ピット撮影装置２１と貯留ピット画像処理装置２２とにより測定して、水分率調整装置において設定した所定範囲の水分率と比較し、相違している場合には低水分率廃棄物と高水分率廃棄物との混合比率を修正するように混合比率算出装置を操作するようにしてもよい。また、水分率調整装置において、攪拌区画における低水分率廃棄物と高水分率廃棄物とが混合された廃棄物の水分率を所定範囲とするように調整する代わりに、所定範囲の水分率に対応する所定範囲の明度を導出しておき、混合された廃棄物の明度を所定範囲とするように制御することとしてもよい。
【００５４】
かくして、所定範囲の水分率の廃棄物Ｐが、クレーン装置４０により攪拌区画Ａから焼却炉IIへ搬送供給される。
【００５５】
貯留ピットへ続けて搬入される廃棄物と、移送された廃棄物の下から現れる廃棄物により、貯留ピット内の廃棄物の状況は変化し続ける。貯留ピット内廃棄物全体の明度分布をリアルタイムで把握し水分率分布を把握して、上述のように適切な水分率の廃棄物を選択して攪拌区画Ａに移送し混合して所定範囲の水分率の廃棄物を生成することにより、焼却炉に最適燃焼可能な廃棄物を安定供給し続けることが可能になる。このとき、貯留ピット内に高水分率廃棄物や低水分率廃棄物の燃焼不適廃棄物が残留し蓄積しないように、焼却炉への供給する廃棄物を所定水分率範囲に維持しながら、燃焼不適廃棄物を減らすように移送し混合することが好ましい。そのためには、明度分布から水分率分布を導き、水分率の所定範囲からのずれの大きい廃棄物の存在状況を把握しておき、これを減少するように移送混合を行う。こうすることで、水分率が所定範囲の廃棄物の自動供給が可能になり、焼却炉の安定運転や高効率発電の実現が可能になる。
【００５６】
本発明は、図示した形態に限定されず、種々変形が可能である。図２のように貯留ピット１０内において攪拌区画Ａを定めた位置に固定して形成するのではなく、貯留ピット内で攪拌区画Ａを移動させるようにしてもよい。当初に設定した位置の攪拌区画Ａで周囲の貯留区画Ｂから廃棄物を移動し攪拌混合し、周囲の貯留区画Ｂに貯留されている廃棄物が少なくなったときに、他の位置に攪拌区画Ａを移動して攪拌混合を行うようにしてもよい。また、攪拌区画Ａを細分して複数の領域Ａ１、Ａ２，・・・を有するようにし、攪拌混合する領域を順次移動させるようにしてもよい。
【００５７】
また、図２のように貯留ピット１０内において攪拌区画Ａと貯留区画Ｂとを別個の定めた位置に形成するのではなく、貯留ピット１０内全域を貯留区画Ｂとしつつ、その貯留区画Ｂのうちの一部の区画を攪拌区画Ａとすることもできる。この場合、例えば、貯留区画Ｂの一部である低水分率廃棄物領域から低水分率廃棄物を、貯留区画Ｂの他の一部である高水分率廃棄物領域へ移送し、該高水分率廃棄物領域を攪拌区画Ａとして攪拌混合が行われてもよい。また、貯留区画Ｂの一部である高水分率廃棄物領域から高水分率廃棄物を、貯留区画Ｂの他の一部である低水分率廃棄物領域へ移送し、該低水分率廃棄物領域を攪拌区画Ａとして攪拌混合が行われてもよい。低水分率廃棄物領域から低水分率廃棄物を高水分率廃棄物領域へ移送して該高水分率廃棄物領域で攪拌混合をする場合、該攪拌混合したことによりその領域の廃棄物が低水分率廃棄物となった場合には、水分率分布測定装置２０は、高水分率廃棄物領域として記憶していたその領域を低水分率廃棄物領域として新たに記憶するようにしてもよい。
【００５８】
本発明は、図示した形態に限定されず、種々変形が可能である。例えば、廃棄物供給装置Ｉは、さらにバケット水分率測定装置を有し、バケット水分率測定装置は、クレーン装置のバケットが掴む廃棄物を撮影し画像情報を取得するバケット撮影装置（カメラ）と、バケット撮影装置により得られた画像情報からバケットが掴む廃棄物の明度を求め、予め設定され記憶された廃棄物の明度と廃棄物の水分率との関係にもとづき、バケットが掴む廃棄物の水分率を導出するバケット画像処理装置とを有し、混合比率算出装置３１は、水分率分布測定装置により導出された貯留ピット内の廃棄物の水分率分布と、バケット水分率測定装置により導出されたバケットが掴む廃棄物の水分率とにもとづき、低水分率廃棄物と高水分率廃棄物との混合比率を算出することとしてもよい。
【００５９】
バケット水分率測定装置により、バケットが掴む廃棄物の水分率を測定することができるため、低水分率廃棄物の存在する領域から低水分率廃棄物を、そして高水分率廃棄物の存在する領域から高水分率廃棄物を攪拌区画へ移送するときに、低水分率廃棄物及び高水分率廃棄物のより正確な水分率を把握することができ、攪拌区画における低水分率廃棄物と高水分率廃棄物とが混合された廃棄物の水分率を所定範囲とするように、低水分率廃棄物と高水分率廃棄物との混合比率をより適正に算出することができる。かくして、攪拌区画において混合される廃棄物の水分率をより確実に所定範囲とすることができる。また、攪拌区画において混合された廃棄物をバケットで掴みバケット水分率測定装置により混合された廃棄物の水分率を測定して、水分率調整装置において設定した所定範囲の水分率と比較し、所定範囲内に至っていない場合には、低水分率廃棄物と高水分率廃棄物との混合比率を修正するように混合比率算出装置を操作するようにしてもよい。
【００６０】
貯留ピットに投入され貯留されるときに、廃棄物が収容されている袋体の状態や廃棄物が大きな塊状となっている状態や粗大物などの形状となっている場合には、袋体を破袋して、塊状の廃棄物や粗大物を破砕して廃棄物を分散させておくと、クレーン装置での移送そして攪拌区画での攪拌混合がしやすいので、そのための装置として、廃棄物の形状を測定する落下状況撮影装置、廃棄物形状測定装置と、その形状を適切に分散させた形状とする廃棄物形状制御装置とを有しているようにできる。
【００６１】
落下状況撮影装置によりクレーン装置のバケットが掴んだ廃棄物の落下状況を撮影し画像情報を取得して、廃棄物形状測定装置が画像情報から廃棄物の形状を導出し、廃棄物形状制御装置が攪拌区画に貯留される廃棄物の形状を所定のものとするようにクレーン装置のバケットによる廃棄物の掴み操作と落下操作を繰り返すようにクレーン装置を制御する。バケットによる廃棄物の掴み操作と落下操作を繰り返すことにより、袋体を破袋し収容されていた廃棄物を分散し、大きな塊状の廃棄物や粗大物を細かく破砕して、廃棄物の形状を所定のものとする。
【００６２】
このようにして、バケットにより廃棄物を掴んでもち上げこれを落下させる動作を繰り返すことで廃棄物の形状の制御を行うが、その際の廃棄物の形状を画像から算出し、所定の形状のものになるまで落下攪拌を繰り返す。
【符号の説明】
【００６３】
１０  貯留ピット
２０  水分率分布測定装置
２１  貯留ピット撮影装置
２２  貯留ピット像処理装置
３０  水分率調整装置
３１  混合比率算出装置
３２  移送計画装置
Ａ  攪拌区画
Ｉ  廃棄物供給装置
II  焼却炉
【図１】
2018169141.tif 000003
【図２】
2018169141.tif 000004